(57)【要約】【課題】  収納品の出し入れを、扉を開けて直ぐにでき、また収納品の乾燥や変質、臭いの発散を防止でき、更には収納品から出る水気でキャビネット内が傷むことを防止できるようにする。【解決手段】  扉１が裏側に収納部２を備える。この収納部２は、扉１と一緒に回転又は回動する。収納部２を上面開口状の箱形に形成する。閉扉時に、この収納部２の上面を閉塞する蓋５を、キャビネット本体６内に設ける。この場合、本発明は、扉１を閉じると収納部２に蓋５を被せる蓋閉じ機構９を備えて形成するのが良い。【選択図】  図１
2010259474.tif 000002
【特許請求の範囲】
【請求項１】
扉が裏側に収納部を備え、この収納部が扉と一緒に回転又は回動するよう形成されている扉付きキャビネットであって、上記の収納部が上面開口状の箱形に形成され、閉扉時に、この収納部の上面を閉塞する蓋がキャビネット本体内に設けられていることを特徴とする扉付きキャビネット。
【請求項２】
請求項１記載の扉付きキャビネットであって、扉を閉じると収納部に蓋を被せる蓋閉じ機構を備えて形成されていることを特徴とする扉付きキャビネット。
【請求項３】
請求項２記載の扉付きキャビネットであって、蓋閉じ機構が、蓋を収納部の上方に保持する弾性部材と、この弾性部材の復元力に抗して蓋を引き下げるため収納部に設けられている引き下げ部材と、この引き下げ部材と係合するよう蓋の対応位置に設けられている係合部とで形成され、扉が閉塞されるのに連れて引き下げ部材と係合部との係合度合が増加し、蓋が徐々に引き下げられて収納部が蓋で閉塞可能に形成されていることを特徴とする扉付きキャビネット。
【請求項４】
請求項１乃至３の何れかに記載の扉付きキャビネットであって、蓋が水平状の平面部と、この平面部から下降傾斜されている傾斜面部とのニ面の状態に形成され、この蓋の形状に合わせて収納部の上面が平面状部と傾斜面状部とに形成され、蓋が傾斜面部をキャビネット本体内の奥に配置させて設けられていることを特徴とする扉付きキャビネット。
【請求項５】
請求項１乃至４の何れかに記載の扉付きキャビネットであって、扉が収納部の下側に棚を備えて形成されていることを特徴とする扉付きキャビネット。
【請求項６】
請求項１乃至５の何れかに記載の扉付きキャビネットであって、蓋の下面の周囲にパッキンが設けられ、蓋が収納部に密着するよう形成されていることを特徴とする扉付きキャビネット。
【発明の詳細な説明】
【技術分野】
【０００１】
本発明は、流し台等のキャビネットに関し、更に詳しくは扉が裏側に収納部を備え、扉を開くと収納部も扉と一緒に開いて収納部の使用が可能になるよう形成されている扉付きキャビネットに関するものである。
【背景技術】
【０００２】
従来この種のキャビネットとしては、例えば特許文献１に記載されているものがある。
この従来品は、扉の裏側に収納部としての棚を備え、扉を開くと棚が扉と一緒に回転し、収納品を出し入れできるよう形成されているものである。
【０００３】
ところで、この種のキャビネットは、衛生面が重視される台所等に設置されるものである。従ってこの種のキャビネットは、扉を開くことで収納品を直ぐに出し入れできるだけではなく、収納品である例えば食品等が変質しないよう、また収納品の臭いが発散しないよう衛生的に収納でき、更には収納品からの水気でキャビネット内を傷めることがないよう形成されているのが望ましい。
【０００４】
しかるに、特許文献１の従来品の場合は、扉を開けて収納品を棚から直ぐに取り出すことができる反面、これによっては収納品の乾燥や変質、或いは臭いの発散を防止することができなかった。
またこの従来品によると、収納品が濡れていたり、水分を含む場合は、この水分が原因でキャビネット内にカビが発生するなど、内部が傷み易くなる、という問題点があった。
【０００５】
そのため、従来のこの種のキャビネットは、例えば食器等の洗い物を水切りするときは、天板に籠を置き、この籠の中に洗い物を入れて収納することが多かった。その結果、従来のこの種のキャビネットは、天板の調理スペースを狭め、また調理時の立ち位置に制約を与える等、使い勝手が悪いものであった。
【先行技術文献】
【特許文献】
【０００６】
【特許文献１】特開平２−２６５０６号公報
【発明の概要】
【発明が解決しようとする課題】
【０００７】
本発明は、このような従来品の問題点に鑑み、提案されたものである。
従って本発明の解決しようとする技術的課題は、収納品の出し入れを、扉を開けて直ぐにできるだけではなく、収納品の乾燥や変質、また臭いの発散を防止でき、更には収納品から出る水気でキャビネット内が傷むことを防止できるよう形成した、使い勝手の良い扉付きキャビネットを提供することにある。
【課題を解決するための手段】
【０００８】
本発明は、上記の課題を解決するため、次のような技術的手段を採る。
即ち本発明は、図１等に示されるように、扉１が裏側に収納部２を備え、この収納部２が扉１と一緒に回転又は回動するよう形成されている扉付きキャビネットであって、上記の収納部２が上面開口状の箱形に形成され、閉扉時に、この収納部２の上面を閉塞する蓋５がキャビネット本体６内に設けられていることを特徴とする（請求項１）。
【０００９】
この場合、本発明は、収納部２を蓋５に強制的に擦接させて被せるのでも良いが、例えば図４、図５に示されるように、扉１を閉じると収納部２に蓋５を被せる蓋閉じ機構９を備えて形成されているのが好ましい（請求項２）。
なぜならこれによると、蓋５や収納部２の摩耗を防止でき、蓋５を収納部２に楽に被せることができるからである。
【００１０】
また本発明の場合、蓋閉じ機構９は、蓋５を収納部２の上方に保持する弾性部材９ａと、この弾性部材９ａの復元力に抗して蓋５を引き下げるため収納部２に設けられている引き下げ部材９ｂと、この引き下げ部材９ｂと係合するよう蓋５の対応位置に設けられている係合部９ｃとで形成され、扉１が閉塞されるのに連れて引き下げ部材９ｂと係合部９ｃとの係合度合が増加し、蓋５が徐々に引き下げられて収納部２が蓋５で閉塞可能に形成されているのが好ましい（請求項３）。
【００１１】
なぜならこれによると、蓋閉じ機構９を、簡単、且つ低コストな構造で実現できるからである。本発明の場合、弾性部材９ａとしては、例えば圧縮バネや引っ張りバネ等のバネや、或いはゴム材がある。蓋５は、この種の弾性部材９ａで支持されているのでも、懸吊されているのでも良い。また引き下げ部材９ｂとしては、例えば水平状の上面９ｂ１と下側傾斜面９ｂ２とで側面視ほぼ三角形の突起状に形成され、収納部２の奥の側面上部に設けられるものがあるが、その形状や構造、形成位置等は適宜選定されるので良い。また係合部９ｃの形状や構造についても、引き下げ部材９ｂに合わせて適宜選定されるので良い。
【００１２】
また本発明は、図６、図７等に示されるように、蓋５が水平状の平面部５ａと、この平面部５ａから下降傾斜されている傾斜面部５ｂとのニ面の状態に形成され、この蓋５の形状に合わせて収納部２の上面が平面状部２１と傾斜面状部２２とに形成され、蓋５が傾斜面部５ｂをキャビネット本体６内の奥に配置させて設けられているのが好ましい（請求項４）。
なぜならこれによると、蓋５と収納部２とが傾斜状の面を有するため、蓋閉じ機構９を省略しても、接触時の当たりをソフトにできるからである。
【００１３】
また本発明は、図１、図２に示されるように、扉１が収納部２の下側に棚７を備えて形成されているのが好ましい（請求項５）。
なぜならこれによると、収納量を増加でき、使い勝手が一層良くなるからである。
【００１４】
而して本発明は、蓋５がキャビネット本体６内に設けられているのであれば、蓋５と収納部２との密着構造は自由であるが、図１０等に示されるように、蓋５の下面の周囲にパッキン１０が設けられ、蓋５が収納部２に密着するよう形成されているのが好ましい（請求項６）。
なぜならこれによると、扉１を開けたとき、密着用のパッキン１０の露出を防止できるからである。
【発明の効果】
【００１５】
本発明は、このように扉が裏側に収納部を備え、この収納部が上面開口状の箱形に形成され、閉扉時に、この収納部の上面を閉塞する蓋がキャビネット本体内に設けられているものである。
従って本発明によると、収納品の乾燥や変質、臭いの発散を防止でき、また収納品から出る水気でキャビネット本体内がカビ等で傷むことを防止でき、使い勝手が良くなるものである。
【図面の簡単な説明】
【００１６】
【図１】本発明のキャビネットの好適な一実施例を示し、Aは天板を外した状態の要部平面図、BはAのB−B線断面図である。
【図２】同上キャビネットの要部縦断面図である。
【図３】同上キャビネットの作用を説明するための要部平面図である。
【図４】蓋閉じ機構の作用を説明するための要部正面図である。
【図５】蓋閉じ機構の作用を説明するための要部正面図である。
【図６】同上キャビネットの他の実施例を示す要部斜視図である。
【図７】図６のキャビネットの要部斜視図である。
【図８】図６のキャビネットの天板を外した状態の要部平面図である。
【図９】図６のキャビネットの作用を説明するための要部平面図である。
【図１０】同上キャビネットの他の実施例を示す要部縦断面図である。
【図１１】同上キャビネットの他の実施例を示す要部縦断面図である。
【図１２】扉の取付金具の他の実施例を示す要部平面図である。
【図１３】図１２のキャビネットの扉の開閉状態を示す要部平面図である。
【発明を実施するための形態】
【００１７】
以下、本発明を実施するための形態を、添付図面に基づいて具体的に説明する。
【実施例１】
【００１８】
本発明のキャビネットは、図１等に示されるように、扉１が裏側に収納部２を備えて形成されている。収納部２は、この実施例では扉１の裏側の下部に設けられているフック３で扉１と一体化され、縦軸４に片持ちされてこの縦軸４を中心に扉１と一緒に約９０度回転するよう形成されている。
【００１９】
またこの収納部２は、上面開口状の箱形に形成されている。収納部２の形状は、適宜選定されるので良いが、この実施例の場合は、図１A等に示されるように、縦軸４から離れた側面２ａが、回転の際に支障とならないよう、平面から見て弧状に形成されている。
なお、この実施例の場合、収納部２の奥行きは４５０ｍｍ、高さ（深さ）は３００ｍｍに選定されている。収納部２内には、例えば水切り用の網（図示せず）が配置されるのでも良い。
【００２０】
そして本発明は、閉扉時に、収納部２の上面を閉塞する蓋５がキャビネット本体６内に設けられている。この蓋５は、キャビネット本体６内の適宜位置に配置される、例えば圧縮バネ（図示せず）で支持され、上下動自在に設けられている。
【００２１】
また扉１は、収納部２の下側に棚７を備えて形成されている。棚７は、縦軸４を中心に収納部２と共に回転可能に設けられている。７ａは、仕切り板である。
なお、この実施例の場合、扉１の横幅は６００ｍｍ、キャビネット本体６の横幅は９００ｍｍである。またこの実施例では、扉１の裏面に、包丁や俎板等の収納具８が設けられている。
【００２２】
またこの実施例の本発明は、扉１を閉じると収納部２に蓋５を被せる蓋閉じ機構９を備えて形成されている。この蓋閉じ機構９は、図４、図５に示されるように、蓋５を収納部２の上方に保持する弾性部材９ａと、この弾性部材９ａの復元力に抗して蓋５を引き下げるため収納部２に設けられている引き下げ部材９ｂと、この引き下げ部材９ｂと係合するよう蓋５の対応位置に設けられている係合部９ｃとで形成され、扉１が閉塞されるのに連れて引き下げ部材９ｂと係合部９ｃとの係合度合が増加し、蓋５が徐々に引き下げられて収納部２が蓋５で閉塞可能に形成されている。
【００２３】
上記の弾性部材９ａは、この実施例では圧縮バネで形成され、キャビネット本体６の側板６ａの内面に固定されているブラケット９ｄ内に縦向きに設けられている。引き下げ部材９ｂは、水平状の上面９ｂ１と下側傾斜面９ｂ２とで側面視ほぼ三角形の突起状に形成され、収納部２の奥の側面上部に設けられている。また係合部９ｃは、引き下げ部材９ｂの形状に合わせて、金属板がレの字状に屈曲され、水平状部９ｃ１を上にすると共に、傾斜状部９ｃ２を内方に向けて蓋５に設けられている。
【００２４】
次に、この実施例に係る本発明の作用を説明する。
先ず使用者が、図１に示される状態から扉１を開くと、図３に示されるように、扉１と一緒に収納部２と棚７が縦軸４を中心に約９０度回転し、キャビネット本体６内から引き出される。この場合、図４に示されるように、引き下げ部材９ｂは、収納部２が回転するのに連れ、係合部９ｃから抜き取られる。すると、引き下げ部材９ｂによる押圧力がなくなるため弾性部材９ａが復元し、その復元力で係合部９ｃが上方に押され、蓋５が上方位置に復帰して配置される。
【００２５】
また使用者が、図３に示される状態から扉１を閉めると、扉１と一緒に収納部２と棚７が縦軸４を中心に反時計方向に回転する。この場合、収納部２の回転に連れ、図４、図５に示されるように、引き下げ部材９ｂの下側傾斜面９ｂ２が係合部９ｃの傾斜状部９ｃ２に徐々に係合し、弾性部材９ａの復元力に抗して引き下げ部材９ｂが係合部９ｃを押し下げる。
【００２６】
そして扉１が閉まり、収納部２が完全にキャビネット本体６内に納まると、蓋５が収納部２に被せられ、収納部２の開口状の上面が閉塞される（図５の状態参照）。なお、本発明は、キャビネット本体６内に乾燥装置を設け、蓋５が閉まると乾燥装置のスイッチが入るよう形成されているのでも良い。
【実施例２】
【００２７】
また本発明は、図６、図７等に示されるように、蓋５が水平状の平面部５ａと、この平面部５ａから下降傾斜されている傾斜面部５ｂとのニ面の状態に形成され、この蓋５の形状に合わせて収納部２の上面が平面状部２１と傾斜面状部２２とに形成され、蓋５が傾斜面部５ｂをキャビネット本体６内の奥に配置させて設けられているのでも良い。以下、上例と同一部材、同一箇所には同一の符号を付し、詳しい説明は省略する。
【００２８】
この実施例の本発明の場合、蓋５はキャビネット本体６内の所定位置に固定されている。そして使用者が、扉１が開かれた状態（図９参照）から扉１を閉めると、扉１と収納部２とが縦軸４を中心に反時計方向に回転する。
【００２９】
すると、収納部２の傾斜面状部２２が蓋５の傾斜面部５ｂにソフトに当たり、また平面状部２１が蓋５の平面部５ａに合わされて蓋５が収納部２に被せられる（図６、図８参照）。従ってこの実施例の本発明の場合は、上例のような扉閉じ機構を省略しても、蓋５と収納部２との接触を、収納部２と蓋５の傾斜している奥側の箇所からソフトに当てて蓋５を閉じることが可能になる。
【００３０】
以上の処において、実施例１、２に係る本発明品は、蓋５の下面の周囲にパッキン１０（図１０等参照）が設けられ、蓋５が収納部２に密着するよう形成されているのでも良い。また実施例１、２の場合は、収納部２が縦軸４を中心に回転するが、本発明は、これに限られず、図１１に示されるように、収納部２が扉１の裏面に、螺子等の止め具１１で直接固定され、扉１と共に回転可能に形成されているのでも良い。
【００３１】
また本発明は、扉１が、図１２、図１３に示されるようなスライドヒンジ１２でキャビネット本体６の側板６ａに取り付けられるのでも良い。この場合は、スライドヒンジ１２の作用で扉１が内外方にスライドするように回動する。従って収納部２の動作軌跡が円弧状ではないため、これによると蓋５との接合を円滑化、容易化し易くなる。
なお、本発明の場合、収納品の種類は自由であり、食品や食器等には限られず、ゴミや掃除用具、或いは洗濯物等でも良い。
【符号の説明】
【００３２】
１      扉
２      収納部
５      蓋
６      キャビネット本体
【図１】
2010259474.tif 000003
【図２】
2010259474.tif 000004
【図３】
2010259474.tif 000005
【図４】
2010259474.tif 000006
【図５】
2010259474.tif 000007
【図６】
2010259474.tif 000008
【図７】
2010259474.tif 000009
【図８】
2010259474.tif 000010
【図９】
2010259474.tif 000011
【図１０】
2010259474.tif 000012
【図１１】
2010259474.tif 000013
【図１２】
2010259474.tif 000014
【図１３】
2010259474.tif 000015